(57)【要約】      （修正有）【課題】画像表示装置において、コントラスト低下を招くことなく色バランスが調整できるようにし、また、調整対象の色についての照明光学系のＦ値が低くすることを防止して、良好なコントラストの画像表示が行えるようにする。【解決手段】光源からの照明光により照明される空間光変調素子と、この空間光変調素子によって画像情報に応じて変調された光をスクリーン上に投影する投射レンズ１０４とを備える。投射レンズ１０４は、前玉鏡胴の内側、もしくは、外側に、ネジ部２、もしくは、弾性爪を有しており、これらネジ部２、もしくは、弾性爪には、カメラ用の汎用フィルタ７が取り付け可能となされている。【選択図】図１Ａ
2005331593.tif 000002
【特許請求の範囲】
【請求項１】
光源と、
前記光源からの照明光により照明される空間光変調素子と、
前記空間光変調素子を照明しこの空間光変調素子によって画像情報に応じて変調された光をスクリーン上に投影する投射レンズと
を備え、
前記投射レンズは、前玉鏡胴の内側、もしくは、外側に、ネジ部、もしくは、弾性爪を有しており、該ネジ部の直径、もしくは、弾性爪の直径は、２１ｍｍ、２７ｍｍ、２８ｍｍ、３０ｍｍ、３０．５ｍｍ、３７ｍｍ、４０．５ｍｍ、４３ｍｍ、４６ｍｍ、４８ｍｍ、４９ｍｍ、５２ｍｍ、５５ｍｍ、５８ｍｍ、６２ｍｍ、６７ｍｍ、７２ｍｍ、７７ｍｍ、８２ｍｍ、８６ｍｍ、９５ｍｍ、１０５ｍｍ、１１２ｍｍのいずれかであって、カメラ用の汎用フィルタが取り付け可能となされている
ことを特徴とする画像表示装置。
【発明の詳細な説明】
【技術分野】
【０００１】
本発明は、反射型または透過型の空間光変調素子やＤＬＰなどの空間光変調素子を用いて変調した画像を結像させて画像表示を行う画像表示装置に関する。
【背景技術】
【０００２】
従来、空間光変調素子として、例えば、空間光変調素子を用いて、この空間光変調素子により照明光を変調し、画像をスクリーンに投射する画像表示装置が提供されている。このような画像表示装置は、反射型または透過型の空間光変調素子を用い、空間光変調素子のピクセルごとに照明光を制御することにより画像の変調を行っている。
【０００３】
このような画像表示装置において、空間光変調素子として反射型液晶素子を用いる場合には、図４に示すように、偏光ビームスプリッタ１０２を用いて構成されたものが提案されている。この画像表示装置においては、光源１０１から出射された照明光は、偏光ビームスプリッタ１０２に入射され、この偏光ビームスプリッタ１０２により、偏光方向が互いに異なる直線偏光であるＰ偏光１０６とＳ偏光１０７とに分離される。これらＰ偏光１０６及びＳ偏光１０７は、互いに直行する方向に出射され、これら直線偏光のうち、Ｐ偏光１０６、もしくは、Ｓ偏光１０７は、反射型液晶素子１０３に入射される。この反射型液晶素子１０３においては、照明光は、画像情報に応じて変調されて反射される。
【０００４】
そして、反射型液晶素子１０３における反射光１０８のうち、白に変調された光１０９のみが、偏光ビームスプリッタ１０２を透過して、投射レンズ１０４に入射され、図示しないスクリーン上に投影される。反射型液晶素子１０３において黒に変調された光１１０は、偏光ビームスプリッタ１０２において反射され、光源１０１側に出射されるので、スクリーン上には投影されない。
【０００５】
また、このような画像表示装置において、空間光変調素子として透過型液晶素子を用いる場合には、図５に示すように、光源１０１から出射された照明光１０５は、入射側偏光板２０２を透過して、直線偏光１０７となされて透過型液晶素子２０３に入射する。この透過型液晶素子２０３においては、照明光は、画像情報に応じて変調されて透過する。
【０００６】
そして、透過型液晶素子２０３を透過した透過光２０８のうち、白に変調された光１０９のみが、出射側偏光板２０４を透過して、投射レンズ１０４に入射され、図示しないスクリーン上に投影される。透過型液晶素子２０３において黒に変調された光は、出射側偏光板２０４によって吸収されるので、スクリーン上には投影されない。
【０００７】
これら各方式の画像表示装置のいずれにおいても、投射レンズは、複数枚のレンズから構成されている。投射レンズを構成している各レンズは、合成樹脂材料、もしくは、金属材料からなる鏡胴内に保持されている。また、この鏡胴内には、可変焦点機構やフォーカス調整機構が実装されており、画像表示装置の設置条件に応じて、表示画像の大きさを最適に調整できるようになっている。
【０００８】
スクリーン上に投影される表示画像の輝度は、表示画面の大きさに依存し、投射レンズから出射される全光束が同じであれば、表示画面が大きいほど輝度は暗くなり、表示画面が小さいほど輝度は明るくなる。
【０００９】
また、表示画像の最適な明るさは、表示画面の観賞環境にも依存し、明るい環境下で表示画像を見るときは、表示画像の輝度も明るい方が良く、暗い環境下で表示画像を見るときは、表示画像の輝度は暗い方が好ましい。このように、設置状況により明るい部屋での観賞や暗い部屋での観賞が想定される画像表示装置においては、光量調節手段を設け、表示画像の明るさが変えられるようになっていることが好ましい。
【００１０】
このような画像表示装置における光量調節手段としては、一般的には、以下の２通りの構成が知られている。
【００１１】
すなわち、第１の構成としては、光源となるランプの出力を、ランプの電源電圧によって調整する構成である。これは、ランプの電源電圧を制御することにより、ランプからの出力光束を調整することにより、表示画像の明るさを調整するものである。
【００１２】
そして、第２の構成としては、投射レンズ内に、カメラレンズに用いられている採光絞りと同様の可変絞りを設け、光学系のＦ値（Ｆナンバ）を調整することにより、表示画像の明るさを調整するものである。
【００１３】
しかしながら、これら２つの構成においては、それぞれ、以下のような問題がある。
【００１４】
すなわち、ランプは、設計電力供給時において性能が最適となり安定して発光するように、電極形状、バルブ形状、温度条件、バルブ内圧条件等が設定されて製造されている。ところが、前述の第１の構成においては、ランプの電源電圧を可変させることによりランプの出力光束を制御するので、ランプの好ましい使用条件から逸脱することとなり、信頼性や寿命等に影響を及ぼすという問題がある。
【００１５】
そして、第２の構成においては、投射レンズにおける絞りによって表示画像の明るさ調整が可能であるが、投射レンズ側で光束を絞ることによるＦ値の変化は、光学系の明るさを変化させると同時に、光学系のコントラスト性能を劣化させることになってしまう。したがって、この第２の構成においては、表示画像の品位が損なわれてしまうという問題がある。
【００１６】
ここで、例えば、特許文献１に記載されているように、このような問題を解決するための構成を備えた画像表示装置が提案されている。すなわち、この画像表示装置の照明光学系は、光源から発せられた照明光を複数の部分光束に分割するための複数のレンズからなるレンズアレイと、光の偏光方向を調整する偏光変換素子アレイとを備えている重畳照明手段であり、さらに、これらレンズアレイと偏光変換素子アレイとの間に、偏光変換素子アレイに設けられた偏光分離膜への入射光量を調節する遮光材を備え、この遮光材によって、表示画像の輝度を必要に応じて調節できるようになされている。
【００１７】
さらに、このような画像表示装置においては、表示画像におけるＲ（赤色）、Ｇ（緑色）及びＢ（青色）の輝度バランスによって決まる白バランスは、画像表示装置を使用する目的によって最適値が異なる。例えば、画像情報の入力ソースがＴＶ（テレビジョン装置）やＰＣ（パーソナルコンピュータ装置）などである場合には、白色を鮮やかに見せるべく、色温度が８０００°Ｋ乃至１４０００°Ｋ程度であることが好ましく、画像情報の入力ソースが銀塩写真フィルムである場合には、太陽光に近い５０００°Ｋ乃至８０００°Ｋ程度が好ましいとされている。
【００１８】
近年の画像表示装置は、小型化、軽量化が図られ、運搬が簡単に行なえるようになっていることもあり、一台の画像表示装置によって様々な用途や環境に対応することが求められている。そのため、環境が変わったときの調整は、より簡単を行なえることが求められている。したがって、このような画像表示装置においては、観賞環境や表示画面の大きさ、画像信号の入力ソースに応じて、表示画像の明るさ及び白バランスが容易に調整できるように、ユーザが電気的にＲＧＢそれぞれの輝度レベルを調整できるようになっている。
【特許文献１】特開２００２−２３１０６公報
【発明の開示】
【発明が解決しようとする課題】
【００１９】
ところで、前述のような重畳照明手段により空間光変調素子を照明し、この空間光変調素子が表示する情報を拡大投射する画像表示装置においては、ＲＧＢの色バランスを電気信号で調整した場合には、減らした信号の色のコントラストが低下するという問題が発生する。
【００２０】
また、表示画像の明るさ調整のために、ＲＧＢ信号を減少させ、空間光変調素子における変調量を抑制した場合にも、システムのコントラストが低下するという問題が発生する。
【００２１】
すなわち、黒信号の輝度は、偏光ビームスプリッタや偏光板の分離効率と、全光学部品の透過率及び光源の全光束量とによって決まっており、電気的には調整できないため、電気的にＲＧＢ信号のレベルを落とすと、表示画像のコントラストが劣化してしまうのである。。
【００２２】
図６は、画像表示装置における入力信号と光出力との関係を示す図である。
【００２３】
この図６中のＣは、入力信号が所定値より小さい黒情報表示時の光出力Ｌである。本来、光出力Ｌはゼロレベルが理想であるが、偏光ビームスプリッタや偏光板の諸性能及び空間光変調素子の諸性能により、漏れ光としてＣレベルの光が出力される。一方、入力信号がピークになったとき、光出力ＬはＡレベルになる。このとき、この画像表示装置のコントラスト比ＣＲは、Ａ／Ｃで定められる。
【００２４】
ところで、色バランスを取るために、光出力Ｌを抑制してＡ´レベルの光出力に信号調整すると、コントラスト比ＣＲ´＝Ａ´／Ｃとなり、著しいコントラスト低下を招く。
【００２５】
また、重畳照明手段の低Ｆ値化によって漏れ光によりＣレベルが増加することによっても、コントラスト比ＣＲは低下する。すなわち、重畳照明手段の低Ｆ値化によって、黒情報表示時における空間光変調素子の漏れ光が増加して、コントラストが低下するのである。
【００２６】
ここで、投射レンズとスクリーンとの間に、ＮＤ（NeutralDensity：ニュートラルデンシティ）フィルタや、色バランス調整フィルタを設置すれば、図７に示すように、コントラストを劣化させずにＲＧＢ輝度を落として、表示画像の明るさや白バランスを調整することができる。
【００２７】
しかしながら、使用する環境や用途が変わるごとに、ユーザがフィルタを設置することは、煩雑である。
【００２８】
本発明は、前述の実情に鑑みて提案されるものであって、コントラスト低下を招くことなく色バランスを調整することができ、また、調整対象の色についての照明光学系のＦ値を低くすることがなく、良好なコントラストの画像表示が行える画像表示装置を提供することを目的とする。
【課題を解決するための手段】
【００２９】
上述の課題を解決するため、本発明に係る画像表示装置は、光源と、この光源からの照明光により照明される空間光変調素子と、この空間光変調素子を照明しこの空間光変調素子によって画像情報に応じて変調された光をスクリーン上に投影する投射レンズとを備え、投射レンズは、前玉鏡胴の内側、もしくは、外側に、ネジ部、もしくは、弾性爪を有しており、該ネジ部の直径、もしくは、弾性爪の直径は、２１ｍｍ、２７ｍｍ、２８ｍｍ、３０ｍｍ、３０．５ｍｍ、３７ｍｍ、４０．５ｍｍ、４３ｍｍ、４６ｍｍ、４８ｍｍ、４９ｍｍ、５２ｍｍ、５５ｍｍ、５８ｍｍ、６２ｍｍ、６７ｍｍ、７２ｍｍ、７７ｍｍ、８２ｍｍ、８６ｍｍ、９５ｍｍ、１０５ｍｍ、１１２ｍｍのいずれかであって、カメラ用の汎用フィルタが取り付け可能となされていることを特徴とするものである。
【発明の効果】
【００３０】
本発明に係る画像表示装置においては、投射レンズの前玉鏡胴の内側、もしくは、外側に設けられたネジ部、もしくは、弾性爪は、カメラ用の汎用フィルタが取り付け可能となされているので、ユーザが容易に入手することのできるカメラ用フィルタを用いて、表示画像の明るさや白バランスを、使用環境や用途に応じて、ユーザが容易に調整することができる。
【００３１】
そして、この画像表示装置においては、画像表示装置の色バランスをコントラストを低下させることなく調整することができ、また、調整対象の色についての照明光学系のＦ値を低くすることがないので、良好なコントラストの画像表示を行うことができる。
【００３２】
すなわち、本発明は、コントラスト低下を招くことなく色バランスを調整することができ、また、調整対象の色についての照明光学系のＦ値を低くすることがなく、良好なコントラストの画像表示が行える画像表示装置を提供することができるものである。
【発明を実施するための最良の形態】
【００３３】
以下、本発明に係る画像表示装置の実施の形態について、図面を参照して詳細に説明する。
【００３４】
この画像表示装置は、前述した従来の画像表示装置と同様に、空間光変調素子として、反射型液晶素子、または、透過型液晶素子を用いて構成することができる。
【００３５】
図４は、画像表示装置の概略的な構成（反射型液晶素子を用いたもの）を示す側面図である。
【００３６】
この画像表示装置は、空間光変調素子として反射型液晶素子を用いる場合には、前述した従来の画像表示装置と同様に、図４に示すように、偏光ビームスプリッタ１０２を用いて構成される。この画像表示装置においては、光源１０１から出射された照明光は、偏光ビームスプリッタ１０２に入射され、この偏光ビームスプリッタ１０２により、偏光方向が互いに異なる直線偏光であるＰ偏光１０６とＳ偏光１０７とに分離される。これらＰ偏光１０６及びＳ偏光１０７は、互いに直行する方向に出射され、これら直線偏光のうち、Ｐ偏光１０６、もしくは、Ｓ偏光１０７は、反射型液晶素子１０３に入射される。この反射型液晶素子１０３においては、照明光は、画像情報に応じて変調されて反射される。
【００３７】
そして、反射型液晶素子１０３における反射光１０８のうち、白に変調された光１０９のみが、偏光ビームスプリッタ１０２を透過して、投射レンズ１０４に入射され、図示しないスクリーン上に投影される。反射型液晶素子１０３において黒に変調された光１１０は、偏光ビームスプリッタ１０２において反射され、光源１０１側に出射されるので、スクリーン上には投影されない。
【００３８】
図５は、画像表示装置の概略的な構成（透過型液晶素子を用いたもの）を示す側面図である。
【００３９】
また、この画像表示装置は、空間光変調素子として透過型液晶素子を用いる場合には、前述した従来の画像表示装置と同様に、図５に示すように、光源１０１から出射された照明光１０５は、入射側偏光板２０２を透過して、直線偏光１０７となされて透過型液晶素子２０３に入射される。この透過型液晶素子２０３においては、照明光は、画像情報に応じて変調されて透過する。
【００４０】
そして、透過型液晶素子２０３を透過した透過光２０８のうち、白に変調された光１０９のみが、出射側偏光板２０４を透過して、投射レンズ１０４に入射され、図示しないスクリーン上に投影される。透過型液晶素子２０３において黒に変調された光は、出射側偏光板２０４によって吸収されるので、スクリーン上には投影されない。
【００４１】
なお、この画像表示装置において、光源１０１は、出射した光を光軸方向に反射するリフレクタを有している。
【００４２】
光源１０１としては、高圧水銀ランプ、メタルハライドランプ等の白色光を出射するものを用いる。リフレクタは、光軸を軸とした回転放物面、または、回転楕円面の反射面を有し、光源１０１から出射された光を反射面で反射して光軸に平行な光束として出射する。なお、リフレクタの反射面を回転楕円面とした場合には、このリフレクタからの出射光は収束光束となるので、この光束を凹レンズを透過させることにより、平行光束とする。
【００４３】
また、この画像表示装置は、光源１０１と、偏光ビームスプリッタ１０２、または、入射側偏光板２０２との間に、複数のレンズアレイ（フライアイレンズ）からなる重畳照明手段を設けて構成してもよい。
【００４４】
そして、この画像表示装置は、前述のような偏光ビームスプリッタ１０２、または、入射側偏光板２０２と空間光変調素子とからなる光変調手段を、Ｒ（赤色）用、Ｇ（緑色）用及びＢ（青色）用として３組設けることにより、カラー画像の表示を行うことができる。
【００４５】
この場合には、光源１０１から発せられた照明光は、図示しない色分解光学系によって、Ｒ（赤色）光、Ｇ（緑色）光及びＢ（青色）光に色分解されて、各色に対応する空間光変調素子にそれぞれ入射される。そして、これら各空間光変調素子を経て変調された光束は、図示しない色合成光学系によって色合成されて、投射レンズ１０４に入射され、スクリーン上に結像される。なお、図４及び図５においては、１枚の空間光変調素子しか示していないるが、実際には、この画像表示装置は、ＲＧＢ（３原色）各色用の３枚の空間光変調素子を備える。
【００４６】
色分解光学系及び色合成光学系は、プリズムやダイクロイックミラーを用いて種々の構成が可能であるので具体的な構成は図示を省略する。
【００４７】
図１Ａは、本発明の実施形態における画像表示装置の要部（投射レンズの前端部分）の構成を示す斜視図である。
【００４８】
図１Ｂは、本発明の実施形態における画像表示装置の要部（投射レンズの前端部分）の構成を拡大して示す断面図である。
【００４９】
そして、この画像表示装置においては、図１Ａ及び図１Ｂに示すように、投射レンズ１０４の鏡胴の前玉１の外周側には、ネジ部２が設けられている。なお、このネジ部は、鏡胴前端側の内側にあっても、外側にあってもよい。このネジ部２の直径は、２１ｍｍ、２７ｍｍ、２８ｍｍ、３０ｍｍ、３０．５ｍｍ、３７ｍｍ、４０．５ｍｍ、４３ｍｍ、４６ｍｍ、４８ｍｍ、４９ｍｍ、５２ｍｍ、５５ｍｍ、５８ｍｍ、６２ｍｍ、６７ｍｍ、７２ｍｍ、７７ｍｍ、８２ｍｍ、８６ｍｍ、９５ｍｍ、１０５ｍｍ、１１２ｍｍのいずれかとなされている。また、このネジ部２のネジピッチは、カメラ用の汎用フィルタのネジピッチに等しくなされている。したがって、この投射レンズ１０４には、後述する色温度変換フィルタなどのカメラ用の汎用フィルタ７をそのまま用いて、鏡胴の先端部に取り付けることができる。
【００５０】
図２Ａは、本発明の実施形態における画像表示装置の要部（投射レンズの前端部分）の構成の他の例を示す側面図である。
【００５１】
図２Ｂは、本発明の実施形態における画像表示装置の要部（投射レンズの前端部分）の構成の他の例を拡大して示す断面図である。
【００５２】
また、この画像表示装置においては、投射レンズ１０４の鏡胴の先端側には、図２Ａ及び図２Ｂに示すように、フィルタ７を保持するための複数の弾性爪３を設けることとしてもよい。これら弾性爪３は、投射レンズ１０４の鏡胴の先端部分より先端側に向けて突設されている。これら弾性爪３は、先端側に、前玉１側に向けて掛止爪３ａを有している。これら弾性爪３の内接円の直径、すなわち、内径は、２１ｍｍ、２７ｍｍ、２８ｍｍ、３０ｍｍ、３０．５ｍｍ、３７ｍｍ、４０．５ｍｍ、４３ｍｍ、４６ｍｍ、４８ｍｍ、４９ｍｍ、５２ｍｍ、５５ｍｍ、５８ｍｍ、６２ｍｍ、６７ｍｍ、７２ｍｍ、７７ｍｍ、８２ｍｍ、８６ｍｍ、９５ｍｍ、１０５ｍｍ、１１２ｍｍのいずれかのカメラ用汎用フィルタ７の外径に等しくなされている。したがって、この投射レンズ１０４には、後述する色温度変換フィルタなどのカメラ用の汎用フィルタ７をそのまま用いて、鏡胴の先端部に取り付けることができる。
【００５３】
図３は、本発明の実施形態において投射レンズの前端部分にフィルタホルダを取付ける状態を示す側面図である。
【００５４】
さらに、この画像表示装置においては、図３に示すように、レンズキャップとフィルタケースを一体化したフィルタホルダ４を用いて、投射レンズ１０４の鏡胴の先端部にカメラ用の汎用フィルタ７を取付けるようにしてもよい。
【００５５】
このフィルタホルダ４は、後端側に、投射レンズ１０４の鏡胴の先端部に保持されるためのネジ部、もしくは、弾性爪５が設けられている。すなわち、投射レンズ１０４の鏡胴にネジ部２が設けられている場合には、このフィルタホルダ４の後端側には、ネジ部２に噛合するネジ部が設けられている。また、投射レンズ１０４の鏡胴に弾性爪３が設けられている場合には、このフィルタホルダ４の後端側には、弾性爪３に保持され得る枠部か、あるいは、投射レンズ１０４の鏡胴の先端部分に掛合する弾性爪５が設けられている。
【００５６】
そして、このフィルタホルダ４の前端側には、投射レンズ１０４の鏡胴に設けられているネジ部２、または、弾性爪３と同様に構成されたネジ部、もしくは、弾性爪６が設けられている。このフィルタホルダ４のネジ部、もしくは、弾性爪６は、フィルタ７を保持することができる。
【００５７】
さらに、このフィルタホルダ４の前方側には、フィルタカバー８を取り付けることとしてもよい。
【００５８】
このようにフィルタホルダ４を用いる場合には、投射レンズ１０４の鏡胴の前端部の径を一種類のものに固定した場合にも、前端側の径の異なる種々のフィルタホルダ４を用意しておくことにより、種々の径のフィルタ７を使用することができる。
【００５９】
また、このようにフィルタホルダ４を用いる場合には、用いるフィルタ７の径を一種類のものに固定した場合にも、後端側の径の異なる種々のフィルタホルダ４を用意しておくことにより、種々の径の鏡筒を有する投射レンズ１０４に対して、同一のフィルタ７を使用することができる。
【００６０】
ところで、この画像表示装置においては、投射レンズ１０４からの出射光が色温度変換フィルタを透過しない状態において、表示する画像の色温度が標準値となるように設定されている。
【００６１】
そして、投射レンズ１０４の鏡胴の前端部には、色温度変換フィルタを取付けることができる。この色温度変換フィルタは、投射レンズ１０４から出射された光束について、光量レベルを落とすべき波長域を遮断（反射）し、残りの光束についてそのまま透過させる特性を有している。このような特性を有する色温度変換フィルタは、例えば、ダイクロイック膜を使用することにより、容易に構成することができる。ダイクロイック膜によって構成された色温度変換フィルタにおいては、透過しなかった光束は、この色温度変換フィルタによって反射される。
【００６２】
この画像表示装置においては、このような色温度変換フィルタは、投射レンズ１０４の前方に配置され、任意の波長域の透過光量、すなわち、投射レンズ１０４からの出射光量を調整することができる。したがって、この画像表示装置における表示画像の表示色温度は、投射レンズ１０４からの投射光が色温度変換フィルタを通過しない状態と、投射光が色温度変換フィルタを透過する状態との少なくとも２種類の状態から選択的に設定可能となっている。また、色温度変換フィルタとして互いに特性の異なる複数のフィルタを用意しておくことにより、これら色温度変換フィルタを選択的に投射レンズ１０４に取付けることにより、種々の表示色温度から選択的に設定することができる。
【００６３】
例えば、色温度変換フィルタの特性が、短い波長域の光の透過を抑制するような特性であるとすると、表示されるカラー画像は、色温度が標準より低くなされたものとなる。
【００６４】
また、色温度変換フィルタの特性が、長い波長域の光の透過を抑制するような特性であるとすると、表示されるカラー画像は、色温度が標準より高くなされたものとなる。
【００６５】
図７は、前記各実施形態の画像表示装置における入力信号と光出力との関係を示すグラフである。
【００６６】
このように色温度変換フィルタにてＲＧＢの光量を調整し、色温度を設定することで、図７の入力信号に対する光出力の関係に示すように、光出力はＡからＡ´になっても、同じ割合でＣはＣ´になり、表示画像におけるコントラストの劣化が生じない。
【００６７】
すなわち、図７に示すように、入力信号が所定値より小さい黒情報表示時の光出力Ｌは、Ｃレベルである。この場合の光出力Ｌは本来ゼロレベルが理想であるが、色分解合成光学系の諸性能及び空間光変調素子に用いられている液晶の諸性能により、漏れ光としてＣレベルの光が出力される。そして、入力信号がピークになったとき、光出力ＬはＡレベルになる。このとき、画像表示装置のコントラスト比ＣＲは、Ａ／Ｃで定められる。
【００６８】
ここで、色バランス（ホワイトバランス）を調整するために、入力信号がピークになったときの光出力Ｌを抑制してＡ´レベルとなるようにすると、黒情報表示時の漏れ光もＣ´レベルに低下する。これは、本実施形態においては、色バランスの調整を、色温度変換フィルタによって所定の波長帯域の光量を制限することによって行っているためである。このため、黒情報表示時の漏れ光Ｃ´は、色バランス調整のために色温度変換フィルタによって遮断する光量に応じて低下する。
【００６９】
したがって、本実施形態においては、光出力をＡレベルからＡ´レベルに低下させたとき、黒情報表示時の漏れ光もＣレベルから同じ比率で減少してＣ´レベルとなる。これによって、コントラスト比ＣＲ´＝Ａ´／Ｃ´＝ＣＲとなり、色バランス調整のためにピークレベルの光出力を調整してＡ´レベルに低下させても、表示画像におけるコントラスト比は維持されることとなる。
【００７０】
なお、前述の各実施形態は、本発明の一具体例を示すものであり、本発明はこれらに限定されるものではない。本発明の趣旨を逸脱しない範囲で様々な変形等を行うことができることは、本発明に係る技術分野の専門家には明らかである。
【図面の簡単な説明】
【００７１】
【図１Ａ】本発明の実施形態における画像表示装置の要部（投射レンズの前端部分）の構成を示す斜視図である。
【図１Ｂ】本発明の実施形態における画像表示装置の要部（投射レンズの前端部分）の構成を拡大して示す断面図である。
【図２Ａ】本発明の実施形態における画像表示装置の要部（投射レンズの前端部分）の構成の他の例を示す側面図である。
【図２Ｂ】本発明の実施形態における画像表示装置の要部（投射レンズの前端部分）の構成の他の例を拡大して示す断面図である。
【図３】本発明の実施形態において投射レンズの前端部分にフィルタホルダを取付ける状態を示す側面図である。
【図４】画像表示装置の概略的な構成（反射型液晶素子を用いたもの）を示す側面図である。
【図５】画像表示装置の概略的な構成（透過型液晶素子を用いたもの）を示す側面図である。
【図６】画像表示装置における入力信号と光出力との関係を示すグラフである。
【図７】各実施形態の画像表示装置における入力信号と光出力との関係を示すグラフである。
【符号の説明】
【００７２】
１１  光源
１２  反射鏡
１３  重畳照明手段
１５  色温度変換フィルタ
１８  色分解光学系
１９  空間光変調素子
【図１Ａ】
2005331593.tif 000003
【図１Ｂ】
2005331593.tif 000004
【図２Ａ】
2005331593.tif 000005
【図２Ｂ】
2005331593.tif 000006
【図３】
2005331593.tif 000007
【図４】
2005331593.tif 000008
【図５】
2005331593.tif 000009
【図６】
2005331593.tif 000010
【図７】
2005331593.tif 000011